(57)【要約】【課題】設計自由度の低下を招くことなく、また、三脚取付部材の放熱面積を増やすことなく、十分な放熱効果を得ることができるようにして、撮像装置の小型化を図ることができる仕組みを提供する。【解決手段】撮像装置は、装置本体の内部に設けられ、発熱源１２４で発生した熱が伝達されるメインシャーシ１１５と、装置本体の外部に露出して設けられ、メインシャーシ１１５から熱が伝達される三脚取付部材１１３と、三脚取付部材１１３に隣接して設けられ、伝熱部材１２１を有して装置本体に対して開閉可能に支持される蓋ユニット１２９と、を備える。蓋ユニット１２９は、閉じ状態で、伝熱部材１２１が三脚取付部材１１３に接触して、三脚取付部材１１３から伝熱部材１２１に熱が伝達される。【選択図】図１
2013024973.tif 000002
【特許請求の範囲】
【請求項１】
装置本体の内部に設けられ、発熱源で発生した熱が伝達されるシャーシ部材と、
前記装置本体の外部に露出して設けられ、前記シャーシ部材から熱が伝達される三脚取付部材と、
前記三脚取付部材に隣接して設けられ、伝熱部材を有して前記装置本体に対して開閉可能に支持される蓋ユニットと、を備え、
前記蓋ユニットは、閉じ状態で、前記伝熱部材が前記三脚取付部材に接触して、前記三脚取付部材から前記伝熱部材に熱が伝達されることを特徴とする撮像装置。
【請求項２】
前記蓋ユニットは、回動可能に支持される回動部材を有し、前記伝熱部材は前記回動部材に対してスライド移動が可能に保持され、
前記蓋ユニットが前記閉じ状態となるときに、前記蓋ユニットは前記装置本体に対して係止され、前記伝熱部材は前記三脚取付部材に接触する状態となり、
前記蓋ユニットを、前記閉じ状態からスライド移動させると、前記蓋ユニットは前記装置本体に対する係止が解除されるとともに、前記伝熱部材は前記三脚取付部材の接触しない状態となり、前記蓋ユニットは開く方向に回動動作することを特徴とする請求項１に記載の撮像装置。
【請求項３】
前記蓋ユニットは、前記伝熱部材から熱が伝達される放熱板を有し、
前記放熱板は、前記蓋ユニットの外部に露出するように配置され、前記伝熱部材から伝達された熱を外気に放熱することを特徴とする請求項１又は２に記載の撮像装置。
【請求項４】
前記伝熱部材は、前記蓋ユニットの閉じ状態で、前記三脚取付部材に熱伝導シートを介して接触することを特徴とする請求項１乃至３のいずれか一項に記載の撮像装置。
【発明の詳細な説明】
【技術分野】
【０００１】
本発明は、例えばデジタルカメラ等の撮像装置に関する。
【背景技術】
【０００２】
デジタルカメラ等の撮像装置では、装置本体の内部で発熱する電子部品を外部に露出する金属製の三脚取付部に直接接触させることで、三脚取付部を通じて電子部品で発生した熱を外気に放熱する技術が提案されている（特許文献１）。
【先行技術文献】
【特許文献】
【０００３】
【特許文献１】特開２００１−１２５１９１号公報
【発明の概要】
【発明が解決しようとする課題】
【０００４】
しかし、上記特許文献１では、装置本体内部の電子部品に対して三脚取付部を直接接触させるように配置するため、三脚取付部の配置や形状が制限されて設計の自由度が低下する。
【０００５】
また、上記特許文献１では、装置本体の放熱を比較的サイズの小さい三脚取付部のみで行うため、放熱効率に限界があり、十分な放熱効果を得るために、三脚取付部の放熱面積を増やすと、撮像装置の大型化を招くことになる。
【０００６】
そこで、本発明は、設計自由度の低下を招くことなく、また、三脚取付部材の放熱面積を増やすことなく、十分な放熱効果を得ることができるようにして、撮像装置の小型化を図ることができる仕組みを提供することを目的とする。
【課題を解決するための手段】
【０００７】
上記目的を達成するために、本発明の撮像装置は、装置本体の内部に設けられ、発熱源で発生した熱が伝達されるシャーシ部材と、前記装置本体の外部に露出して設けられ、前記シャーシ部材から熱が伝達される三脚取付部材と、前記三脚取付部材に隣接して設けられ、伝熱部材を有して前記装置本体に対して開閉可能に支持される蓋ユニットと、を備え、前記蓋ユニットは、閉じ状態で、前記伝熱部材が前記三脚取付部材に接触して、前記三脚取付部材から前記伝熱部材に熱が伝達されることを特徴とする。
【発明の効果】
【０００８】
本発明によれば、設計自由度の低下を招くことなく、また、三脚取付部材の放熱面積を増やすことなく、十分な放熱効果を得ることができるので、撮像装置の小型化を図ることができる。
【図面の簡単な説明】
【０００９】
【図１】（ａ）は本発明の撮像装置の実施形態の一例であるデジタルカメラを正面側から見た図、（ｂ）は（ａ）の背面図、（ｃ）は（ａ）の上面図、（ｄ）は（ａ）の底面図である。
【図２】（ａ）はカメラ本体に対して電池蓋ユニットが閉じている状態を示す斜視図、（ｂ）は電池蓋ユニットを矢印Ａ方向にスライド移動させた状態を示す斜視図、（ｃ）は電池蓋ユニットが開方向へ回動した状態を示す斜視図である。
【図３】カメラ本体の要部構造を示す分解斜視図である。
【図４】（ａ）は電池蓋ユニットの組立体を電池ボックス側から見た平面図、（ｂ）は（ａ）のＡ−Ａ線断面図である。
【図５】メインシャーシ、電池蓋ユニット、及び三脚取付部材の関係を示す斜視図である。
【図６】（ａ）は電池蓋ユニットが三脚取付部材から離れる方向にスライド移動した状態を示す断面図、（ｂ）は電池蓋ユニットが三脚取付部材側にスライド移動した状態を示す断面図である。
【発明を実施するための形態】
【００１０】
以下、本発明の実施形態の一例を図面を参照して説明する。
【００１１】
図１（ａ）は本発明の撮像装置の実施形態の一例であるデジタルカメラを正面側から見た図、図１（ｂ）は図１（ａ）の背面図、図１（ｃ）は図１（ａ）の上面図、図１（ｄ）は図１（ａ）の底面図である。
【００１２】
本実施形態のデジタルカメラは、図１に示すように、正面カバー１０２ａ及び背面カバー１０２ｂによりカメラ本体１０１の外装が形成され、カメラ本体１０１の正面側には、レンズ鏡筒１００、ストロボユニット１０４及びＡＦ補助光窓１０５が設けられている。
【００１３】
カメラ本体１０１の正面側から見て左側の側面部には、端子カバー１０３及びストラップ取付部１０８が設けられ、カメラ本体１０１の背面部には、ＬＣＤ等の表示装置１０６及び操作ボタン群１０７が設けられている。ここで、カメラ本体１０１は、本発明の装置本体の一例に相当する。
【００１４】
また、カメラ本体１０１の上面部には、レリーズボタン１０９、ズームレバー１１０、電源ボタン１１１、及びモード切替レバー１１２が設けられ、カメラ本体１０１の底面部には、三脚取付部材１１３、及び電池蓋ユニット１２９が設けられている。電池蓋ユニット１２９は、カメラ本体１０１に対して開閉可能に支持されている。
【００１５】
次に、図２を参照して、電池蓋ユニット１２９の開閉動作について説明する。図２（ａ）は、カメラ本体１０１に対して電池蓋ユニット１２９が閉じている状態を示す斜視図である。図２（ａ）の状態では、電池蓋ユニット１２９は、カメラ本体１０１に対して係止爪１１４ａ，１１４ｂが係止されて閉じ状態が維持されている。
【００１６】
この状態で、図２（ｂ）に示すように、電池蓋ユニット１２９を矢印Ａ方向にスライド移動させると、係止爪１１４ａ，１１４ｂの係止が解除され、開きバネ１２２（図３）の付勢力により電池蓋ユニット１２９は、開く方向へ回動して図２（ｃ）の状態になる。これにより、電池ボックス１１６（図３）の電池収納部が開放され、電池等の出し入れが可能となる。
【００１７】
図３は、カメラ本体１０１の要部構造を示す分解斜視図である。図３において、ＣＣＤセンサ１２４は、ＣＣＤプレート１２５に保持され、ＣＣＤプレート１２５は、レンズ鏡筒１００（図１）に固定される。
【００１８】
ＣＣＤ放熱板１２６は、レンズ鏡筒１００とメインシャーシ１１５との間で光軸方向に挟まれた状態で固定され、また、ＣＣＤ放熱板１２６とＣＣＤプレート１２５とは、熱伝導シート１２８を介して熱伝導可能に接続される。熱伝導シート１２８は、圧縮変形が可能で熱伝導率の高い材質で形成される。
【００１９】
ＣＣＤフレキ１２７には、ＣＣＤセンサ１２４が実装される。ＣＣＤセンサ１２４から出力された画像信号は、ＣＣＤフレキ１２７を介して不図示の制御基板へと伝送される。メインシャーシ１１５は、板金等の金属材料で形成され、カメラ本体１０１の枠体を構成する。ここで、メインシャーシ１１５は、本発明のシャーシ部材の一例に相当する。
【００２０】
電池ボックス１１６は、樹脂材料で形成され、メインシャーシ１１５に対してビス等により固定される。三脚取付部材１１３は、三脚台を固定するためのネジ穴を有し、メインシャーシ１１５に対してビス１１７等により固定される。三脚取付部材１１３は、本実施形態では、亜鉛ダイキャスト等の熱伝導率の高い金属材料により形成されている。
【００２１】
電池蓋ユニット１２９は、三脚取付部材１１３に隣接して設けられ、電池蓋１１４、放熱板１１８、クリックプレート１１９、回転軸１２０、インナープレート１２１、開きバネ１２２、及びＤＣジャックカバー１２３を備える。ここで、インナープレート１２１は、金属材料で形成され、本発明の伝熱部材の一例に相当する。
【００２２】
電池蓋１１４は、電池蓋１１４に固定される金属製の放熱板１１８とともに、カメラ本体１０１の底面部の外装の一部を形成し、放熱板１１８には、インナープレート１２１がビス等により固定される。すなわち、放熱板１１８とインナープレート１２１は熱的に接続される。クリックプレート１１９は、カメラ本体１０１に対して回転軸１２０を介して回動動作が可能に支持される。ここで、クリックプレート１１９は、金属材料で形成され、本発明の回動部材の一例に相当する。
【００２３】
開きバネ１２２は、電池蓋ユニット１２９を開き方向へと付勢するバネであり、コイル部分に回転軸１２０が挿通されて、一端がクリックプレート１１９に、他端が三脚取付部材１１３の側面にそれぞれ押圧接触して保持される。
【００２４】
ＤＣジャックカバー１２３は、ゴム材料等の弾性部材から形成され、放熱板１１８に対して着脱可能とされて、装着時に外部直流電源を使用する際にＤＣジャックを挿入する孔を塞ぐ。
【００２５】
図４（ａ）は電池蓋ユニット１２９の組立体を電池ボックス１１６側から見た平面図、図４（ｂ）は図４（ａ）のＡ−Ａ線断面図である。
【００２６】
図４に示すように、電池蓋１１４の先端部には、カメラ本体１０１に対して係脱可能に係止される係止爪１１４ａ，１１４ｂが形成されている。これにより、電池蓋１１４が図３ａの状態において電池ボックス１１６に対して係止される。
【００２７】
放熱板１１８には、２つのボス部１１８ａ，１１８ｂが形成され、ボス部１１８ａ，１１８ｂが電池蓋１１４の位置決め穴に嵌合することで、電池蓋１１４に対して放熱板１１８が位置決めされる。
【００２８】
また、放熱板１１８とクリックプレート１１９との間に電池蓋１１４を挟んだ状態でボス部１１８ａ，１１８ｂにインナープレート１２１がビス等で固定される。このとき、クリックプレート１１９に対して、電池蓋１１４、放熱板１１８、及びインナープレート１２１は、一体でスライド移動が可能に保持されている。
【００２９】
このときのスライド移動量は、電池蓋１１４の係止爪１１４ａ，１１４ｂのカメラ本体１０１に対する係止量よりも大きく設定される。クリックプレート１１９は、カメラ本体１０１に対して回転軸１２０を介して回動可能に支持されているため、電池蓋ユニット１２９は、スライド移動後に開方向へ回動動作が可能となる。
【００３０】
ここで、発熱源の１つであるＣＣＤセンサ１２４で発生した熱の伝熱経路について説明する。ＣＣＤセンサ１２４で発生した熱は、ＣＣＤプレート１２５へ伝達された後、熱伝導シート１２８を介してＣＣＤ放熱板１２６へ伝達される。
【００３１】
ＣＣＤ放熱板１２６に伝達された熱は、メインシャーシ１１５へ伝達される。メインシャーシ１１５は、カメラ本体１０１の内部の広い領域に配置されているため、メインシャーシ１１５へ伝達された熱は、メインシャーシ１１５で広範囲に分散される。
【００３２】
また、メインシャーシ１１５へ伝達された熱は、メインシャーシ１１５に取り付けられた三脚取付部材１１３にも伝達される。
【００３３】
図５は、メインシャーシ１１５、電池蓋ユニット１２９、及び三脚取付部材１１３の関係を示す斜視図である。
【００３４】
図５において、電池蓋ユニット１２９は、閉じ状態であり、インナープレート１２１のＬ字状の曲げ形状部１２１ａは、三脚取付部材１１３に貼り付けられた熱伝導シート１１３ａを介して三脚取付部材１１３に接触する。
【００３５】
熱伝導シート１１３ａは、熱伝導率が高く、圧縮変形可能な材料で形成されている。このため、熱伝導シート１１３ａは、インナープレート１２１の曲げ形状部１２１ａに密着してメインシャーシ１１５から三脚取付部材１１３に伝達された熱をインナープレート１２１に効率よく伝達することが可能である。
【００３６】
図６（ａ）は、電池蓋ユニット１２９が三脚取付部材１１３から離れる方向にスライド移動した状態を示す断面図である。
【００３７】
図６（ａ）では、電池蓋ユニット１２９は、カメラ本体１０１に対する係止爪１１４ａ，１１４ｂの係止が解除される位置までスライド移動しており、クリックプレート１１９のクリックバネ形状部１１９ａが電池蓋１１４のクリック溝部１１４ｃに係合している。
【００３８】
このとき、インナープレート１２１の曲げ形状部１２１ａは、三脚取付部材１１３に対してスライド移動量分だけ離れており、従って、三脚取付部材１１３からインナープレート１２１への伝熱は行われない。
【００３９】
図６（ｂ）は、電池蓋ユニット１２９が三脚取付部材１１３側にスライド移動した状態を示す断面図である。
【００４０】
電池蓋ユニット１２９を三脚取付部材１１３側にスライド移動させる際には、クリックバネ形状部１１９ａは、クリック溝部１１４ｃを乗り越えてクリック溝部１１４ｄに係合する。これにより、電池蓋ユニット１２９にクリック感が付与される。
【００４１】
このとき、インナープレート１２１の曲げ形状部１２１ａは、熱伝導シート１１３ａを介して三脚取付部材１１３に接触する。そのため、メインシャーシ１１５から三脚取付部材１１３に伝達された熱は、熱伝導シート１１３ａを介してインナープレート１２１へ伝達される。
【００４２】
インナープレート１２１は、ビス等によって放熱板１１８に接触した状態で固定されるため、インナープレート１２１に伝達された熱は、電池蓋ユニット１２９の外部に露出する放熱板１１８へ伝達されて、外気に放熱される。
【００４３】
このように、メインシャーシ１１５から三脚取付部材１１３に伝達された熱は、電池蓋ユニット１２９の閉じ状態で、熱伝導シート１１３ａ及びインナープレート１２１を介して放熱板１１８へと伝達されて外気に放熱される。
【００４４】
以上説明したように、本実施形態では、ＣＣＤセンサ１２４で発生した熱は、ＣＣＤプレート１２５、熱伝導シート１２８、ＣＣＤ放熱板１２６、及びメインシャーシ１１５を介して三脚取付部材１１３に伝達される。このため、三脚取付部材１１３の配置や形状の制限を緩和することができ、設計の自由度が向上する。
【００４５】
また、本実施形態では、三脚取付部材１１３に伝達された熱は、熱伝導シート１１３ａ及びインナープレート１２１を介して放熱板１１８へと伝達されて外気に放熱される。このため、三脚取付部材１１３の放熱面積を増やすことなく、十分な放熱効果を得ることができ、デジタルカメラの小型化を図ることができる。
【００４６】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００４７】
１１３  三脚取付部材
１１３ａ  熱伝導シート
１１４  電池蓋
１１５  メインシャーシ
１１８  放熱板
１２４  ＣＣＤセンサ
１２５  ＣＣＤプレート
１２６  ＣＣＤ放熱板
１２８  熱伝導シート
１２９  電池蓋ユニット
【図１】
2013024973.tif 000003
【図２】
2013024973.tif 000004
【図３】
2013024973.tif 000005
【図４】
2013024973.tif 000006
【図５】
2013024973.tif 000007
【図６】
2013024973.tif 000008